(57)【要約】【課題】登録会員数を増加することができるサーバ、撮影装置に関するサーバシステム、サーバの制御方法、サーバの制御プログラムを提供すること。【解決手段】本発明は、連絡先情報を取得するサーバ１００であって、サーバ１００は、連絡先情報に基づいて通信端末２００へ会員登録のための案内を送信するとともに、当該案内の送信履歴を記録し、所定期間が経過した後において会員登録が完了されない場合、連絡先情報に基づいて、通信端末２００へ会員登録のための再案内を送信するものである。【選択図】図１
2019191966.tif 000002
【特許請求の範囲】
【請求項１】
連絡先情報を取得するサーバであって、
前記サーバは、
前記連絡先情報に基づいて通信端末へ会員登録のための案内を送信するとともに、当該案内の送信履歴を記録し、所定期間が経過した後において前記会員登録が完了しない場合、前記連絡先情報に基づいて、前記通信端末へ会員登録のための再案内を送信する、サーバ。
【請求項２】
前記サーバは、前記再案内を行った場合、前記案内の送信履歴に再案内の回数情報を記録する、請求項１に記載のサーバ。
【請求項３】
前記サーバは、前記再案内の回数情報に応じて前記再案内の内容を変化させる、請求項２に記載のサーバ。
【請求項４】
前記連絡先情報は、メールアドレス、ＳＮＳ（ソーシャルネットワークサービス）および社会的な要素を備えたコミュニケーションネットワークの少なくとも１つである、請求項１から３のいずれか１項に記載のサーバ。
【請求項５】
前記サーバは、前記案内の送信履歴を記録し、前記送信から所定期間が経過する前、または再案内後の所定期間において、前記通信端末から前記会員登録が完了された場合、前記案内の送信履歴を消去する、請求項１から４のいずれか１項に記載のサーバ。
【請求項６】
前記再案内は、画像データ、動画データ、前記画像データまたは前記動画データのサムネイル、または当該各データの保存期間の記載を含む、請求項１から５のいずれか１項に記載のサーバ。
【請求項７】
請求項１から請求項６のいずれか１項に記載のサーバと、
前記サーバと相互通信するとともに、人物を撮像する撮影装置と、をさらに含む、撮影装置に関するサーバシステム。
【請求項８】
連絡先情報を取得する撮影装置に関するサーバシステムであって、
前記撮影装置と、
サーバと、
通信端末と、を含み、
前記サーバは、
前記連絡先情報に基づいて通信端末へ会員登録のための案内を送信するとともに、当該案内の送信履歴を記録し、所定期間が経過した後において前記会員登録が完了しない場合、前記連絡先情報に基づいて、前記通信端末へ会員登録のための再案内を送信する、撮影装置に関するサーバシステム。
【請求項９】
連絡先情報を取得する取得工程と、
前記連絡先情報に基づいて会員登録のための案内を送信する送信工程と、
当該案内の送信履歴を記録する記録工程と、
所定期間が経過した後において前記会員登録が完了しない場合、前記連絡先情報に基づいて会員登録のための再案内を送信する再送信工程と、を含むサーバの制御方法。
【請求項１０】
連絡先情報を取得する取得処理と、
前記連絡先情報に基づいて会員登録のための案内を送信する送信処理と、
当該案内の送信履歴を記録する記録処理と、
所定期間が経過した後において前記会員登録が完了しない場合、前記連絡先情報に基づいて会員登録のための再案内を送信する再送信処理と、を含むサーバの制御プログラム。
【発明の詳細な説明】
【技術分野】
【０００１】
本発明は、サーバ、撮影装置に関するサーバシステム、サーバの制御方法およびサーバの制御プログラムに関する。
【背景技術】
【０００２】
従来、各企業がユーザの会員登録を希望し、会員数を増やすために種々の研究開発を行っている。
【０００３】
例えば、特許文献１（特開２０１４−３２４４９号公報）には、会員登録を行うことなく、サービスの内容の一部を確認することを可能とし、サービスの利用促進を図る管理装置について開示されている。
【０００４】
特許文献１（特開２０１４−３２４４９号公報）記載の管理装置には、利用者の端末装置にインストールされたアプリケーションを介して、当該利用者に所定のサービスを提供し、前記利用者に提示した複数のテーマのそれぞれに対する前記利用者からの応答の内容を管理する管理装置であって、会員登録に必要な項目を前記端末装置から取得して会員登録を行う登録部と、前記複数のテーマのそれぞれに対する前記利用者の応答の内容を前記端末装置から取得して当該応答の内容を管理する管理部と、前記登録部で会員登録が行われたことを条件として、前記利用者の会員ページを示すアドレス情報を外部のサービスに通知を可能にする通知部と、前記アプリケーション経由で前記複数の全てのテーマにアクセス可能にする一方、前記会員ページ経由では、前記複数のテーマのうち一部のテーマだけに制限してアクセス可能にする制御部とを備えるものである。
【０００５】
特許文献２（特開２００８−１２３２３７号公報）には、従来型のコミュニケーションの方法では新しいコミュニティーへの対応は可能であったが、以前からのコミュニティーを継続して拡大すること不可能であったことを課題とするグループメンバーの関係付け継続支援システムについて開示されている。
【０００６】
特許文献２（特開２００８−１２３２３７号公報）記載のグループメンバーの関係付け継続支援システムは、会員情報処理端末がインターネットなどの通信ネットワークを介して運用管理サーバと接続されているグループメンバーの関係付け継続支援システムであって、前記会員情報処理端末は、前記運用管理サーバを呼び出して会員登録要求を送信する会員登録要求手段と、当該会員についてのグループメンバーを登録する手段と、当該会員が所属するグループにおける各グループメンバー間との関係状態を設定する手段とを備え、前記運用管理サーバは、前記会員情報処理端末から会員登録要求を受信すると、この会員登録要求に含まれている個人特定情報が会員情報管理部に記憶保存されている会員データベースに既に存在していないかどうかを判断して、もし存在していない場合は、個人特定情報を含む当該会員に関する情報を前記会員データベースに追加する会員登録手段と、会員又はグループ毎に個別の情報画面を生成する手段と、各会員の個人特定情報の変更の有無を確認する手段と、前記確認の結果、その個人特定情報を補完するため当該会員の個人特定情報が変更されていた場合に、当該会員が所属するグループの各グループメンバーに対して当該会員の個人特定情報の変更内容を照会する手段と、変更後の当該会員の個人特定情報を更新する手段と、を備えたものである。
【０００７】
特許文献３（特開２００７−４３６１４号公報）には、会員の個人情報を保護すると共に、会員登録の作業負担を解消する。さらに登録時のセキュリティを強化する連絡情報配信システムについて開示されている。
【０００８】
特許文献３（特開２００７−４３６１４号公報）記載の連絡情報配信システムは、通信ネットワークを介して教育現場の配信側端末からの連絡情報を取得すると、予め登録した会員が管理する受信側端末に、その連絡情報を電子メールで配信するセンターサーバーを備え、このセンターサーバーは、各会員毎に前記受信側端末の電子メールアドレス、および前記会員の特徴を表わした基本情報を関連付けた登録情報を記憶保存する情報記憶手段と、前記受信側端末から送られてくる前記基本情報と、この受信側端末の電子メールアドレスとを、新たな登録情報として前記情報記憶手段に追加する登録情報管理手段と、前記配信側端末から連絡情報を配信したい旨の指示を受けると、前記電子メールアドレスを閲覧できないように隠して、前記基本情報を配信先の条件として指定させ、前記配信側端末が指定した条件に合致する登録情報を前記情報記憶手段から抽出して、その登録情報に含まれる電子メールアドレスの受信側端末に、前記連絡情報を電子メールで通知する電子メール通知手段と、を備えたことを特徴とするものである。
【０００９】
特許文献４（特開２００３−１２２９０７号公報）には、顧客に手間をかけさせないで、簡単に会員登録が完了し、かつ顧客の電子メールアドレス情報をも取得することが可能な会員登録システムを提供するとともに、併せて携帯電話の自動ウェブサイト接続装置の普及を促進する顧客の会員登録システムについて開示されている。
【００１０】
特許文献４（特開２００３−１２２９０７号公報）記載の顧客の会員登録システムは、携帯電話でウェブサイトに自動的に接続させる外付けスティックを用いて会員登録を行う顧客の会員登録システムであって、前記外付けスティックが接続された携帯電話の携帯一連番号と前記外付けスティックのスティック一連番号を受信し、前記スティック一連番号と関連付けられた携帯一連番号を携帯電話番号に変換する第１の手段と、前記スティック一連番号と関連付けられた携帯電話番号を受信し、情報送信先別携帯一連番号に変換する第２の手段と、前記スティック一連番号に関連付けられた情報送信先別携帯一連番号を受信するとともに、前記携帯電話のメーラーを起動させ、前記携帯電話から入力された顧客の名前と携帯電話番号を含む電子メールを受信し、前記情報送信先別携帯一連番号と関連付けられた前記名前、前記携帯電話番号、及び前記電子メールに付随する電子メールアドレスを会員登録情報として格納する第３の手段とを備えるものである。
【００１１】
特許文献５（特開２００２−２２２３０５号公報）には、電子メールを活用することで、電子商取引と現実の営業活動とを連携させ、営業効率を向上させるとともに、顧客満足度を向上させるオンライン登録支援方法、サーバ装置、およびプログラムについて開示されている。
【００１２】
特許文献５（特開２００２−２２２３０５号公報）記載のオンライン登録支援方法は、顧客に関する情報を予め登録することで、潜在的会員として登録する潜在的会員登録ステップと、通信ネットワークを介して顧客に関する情報を受け付けることで新規会員として登録する新規会員登録ステップと、前記新規会員登録ステップで登録された会員が、すでに前記潜在的会員登録ステップで登録されているか否かを判別する既登録判別ステップと、前記既登録判別ステップで、前記新規会員登録ステップで登録する会員が、すでに前記潜在的会員登録ステップで登録されていると判別された場合、当該会員を示す情報と、該判別結果を示す情報と、前記新規会員登録ステップで登録された当該会員に関する情報と、を示す電子メールを作成し、前記通信ネットワークを介して顧客担当者に送信する営業情報通知ステップと、を備えるものである。
【００１３】
例えば、特許文献６（特開２０１６−５４４３３号公報）には、画像提供装置から携帯端末装置に画像の提供に関する通知が適切に行われる画像提供システムについて開示されている。
【００１４】
特許文献６（特開２０１６−５４４３３号公報）記載の画像提供システムは、ユーザがプレイを行う写真撮影遊戯装置と、前記プレイにより前記写真撮影遊戯装置で撮影された画像又はそれに基づく画像を前記ユーザに提供する画像提供装置と、前記画像提供装置により提供される画像を表示部に表示可能な携帯端末装置とを備える画像提供システムであって、前記写真撮影遊戯装置は、プレイを行うユーザに関するユーザ情報を前記画像提供装置に送信する送信手段を有し、前記画像提供装置は、前記写真撮影遊戯装置から送信された前記ユーザ情報に基づいて、第１の通知方法及び第２の通知方法のうち前記携帯端末装置に情報を通知するために用いる通知方法を選択する通知方法選択手段と、前記通知方法選択手段により選択された通知方法により、前記画像の提供に関して前記携帯端末装置に情報を通知する通知手段とを有するものである。
【００１５】
また、特許文献７（特開２０１７−１０８２００号公報）には、容易に画像をユーザ用の記憶領域に取得できる画像提供システムについて開示されている。
【００１６】
特許文献７（特開２０１７−１０８２００号公報）記載の画像提供システムは、ユーザが写真撮影を伴うプレイを行う写真撮影遊戯装置と、前記プレイにより得られた画像を前記ユーザに提供する画像提供装置と、前記画像提供装置により提供される画像を表示部に表示可能な携帯端末装置とを備える画像提供システムであって、前記写真撮影遊戯装置は、プレイを行うユーザに対応するユーザ識別情報と前記画像とを前記画像提供装置に送信する送信手段を有し、前記携帯端末装置は、ユーザの操作に基づいて前記画像の提供を受けるために前記画像提供装置にアクセスするアクセス手段を有し、前記画像提供装置は、前記写真撮影遊戯装置から送信されたユーザ識別情報及び前記画像と、を受信する第１の受信手段と、前記ユーザ識別情報に対応付けて、前記画像を第１の記憶領域に記憶する第１の記憶手段と、携帯端末装置を用いて前記画像提供装置にアクセスしたユーザを識別する識別手段と、前記識別手段の識別結果と前記ユーザ識別情報とに基づいて、前記第１の記憶領域に記憶されている複数プレイ分の前記画像を一括して、前記画像をユーザに提供するための第２の記憶領域に記憶する第２の記憶手段と、を有する、ものである。
【００１７】
さらに、特許文献８（特開２０１７−１２６１７４号公報）には、遊戯用の撮影装置が生成した画像データの取り扱いに関する利便性を向上できるようにする管理装置について開示されている。
【００１８】
特許文献８（特開２０１７−１２６１７４号公報）記載の管理装置は、遊戯用の撮影装置の利用者を被写体とする画像データを管理する管理装置であって、前記撮影装置及び前記利用者の携帯端末と通信可能であり、前記撮影装置が生成した前記画像データを当該撮影装置から受信する通信部と、受信した前記画像データを前記利用者以外の者に公開するためのウェブページであるシェアページを作成する制御部と、作成したシェアページを記憶する記録部と、を備えるものである。
【００１９】
特許文献９（特開２０１５−１８４８４６号公報）には、管理装置に保存された画像データへのアクセスを可能とするサービスを適切に運用できるようにする情報処理システムについて開示されている。
【００２０】
特許文献９（特開２０１５−１８４８４６号公報）記載の情報処理システムは、利用者が自身の撮影を行う遊戯用の撮影装置と、前記利用者の携帯端末と、前記撮影装置が生成した画像データを管理する管理装置とを備える情報処理システムであって、撮影装置は、生成した前記画像データと、その識別情報である画像ＩＤとを前記管理装置に送信する通信部を有しており、管理装置は、前記画像データと前記画像ＩＤとを受信する通信部と、受信した前記画像データ及び前記画像ＩＤと、前記撮影装置におけるプレイ時刻と、下記の第１及び第２種別を含むユーザ登録情報と、を関連づけて記憶する記録部と、自装置の前記通信部が前記画像データのダウンロード要求をユーザ登録済みの前記携帯端末から受信すると、前記画像ＩＤに対応する前記画像データを送信元の前記端末装置宛てで自装置の前記通信部に送信させる制御部と、を有しており、前記プレイ時刻から所定期間が経過した前記画像データがある場合に、所定の通知を前記第１及び第２の種別に応じて実行する通知部が、前記管理装置又は前記携帯端末に設けられているものである。
【先行技術文献】
【特許文献】
【００２１】
【特許文献１】特開２０１４−３２４４９号公報
【特許文献２】特開２００８−１２３２３７号公報
【特許文献３】特開２００７−４３６１４号公報
【特許文献４】特開２００３−１２２９０７号公報
【特許文献５】特開２００２−２２２３０５号公報
【特許文献６】特開２０１６−５４４３３号公報
【特許文献７】特開２０１７−１０８２００号公報
【特許文献８】特開２０１７−１２６１７４号公報
【特許文献９】特開２０１５−１８４８４６号公報
【発明の概要】
【発明が解決しようとする課題】
【００２２】
以上のように、特許文献１から特許文献９に記載された発明は、有用なものであるものの、会員登録が完了された後に利用することで効果を奏する発明である。唯一、特許文献５においては、潜在的顧客であるか、新規顧客であるかの判断を行っているものがあるが、新規顧客の場合に営業担当者に連絡を行うものである。
しかしながら、近年、有料無料を問わず、会員登録数を増加したいというニーズが生まれてきている。さらに、スマートフォンまたはタブレット端末等の普及により、子どもたちから高齢者まで会員の登録対象となるが、操作または会員登録が完了したと勘違いして会員登録を途中で停止する、または途中で失念する場合も少なくないため、本来会員となるべき人が登録に至らないという問題がある。
【００２３】
本発明の主な目的は、登録会員数を増加することができるサーバ、撮影装置に関するサーバシステム、サーバの制御方法およびサーバの制御プログラムを提供することである。
【課題を解決するための手段】
【００２４】
（１）
一局面に従うサーバは、連絡先情報を取得するサーバであって、サーバは、連絡先情報に基づいて通信端末へ会員登録のための案内を送信するとともに、当該案内の送信履歴を記録し、所定期間が経過した後において会員登録が完了しない場合、連絡先情報に基づいて、通信端末へ会員登録のための再案内を送信するものである。
【００２５】
この場合、サーバは、連絡先情報に基づいて会員登録のための案内を送信した後、会員登録が完了されない場合、再案内が送信される。その結果、ユーザは、登録が完了していない旨を認識することができる。また、サーバは、確実に会員登録のための再案内を受信することができ、登録会員数を増加することができる。なお、案内および再案内には、会員登録のためのＵＲＬ等のリンク先情報が含まれていても良い。
【００２６】
（２）
第２の発明にかかるサーバは、一局面にかかるサーバにおいて、再案内を行った場合、案内の送信履歴に再案内の回数情報を記録してもよい。
【００２７】
この場合、サーバは、案内の送信履歴に再案内の回数情報を記録することができる。その結果、ユーザが多数の再案内が送信され煩わしいと感じることを防止することができる。
【００２８】
（３）
第３の発明にかかるサーバは、第２の発明にかかるサーバにおいて、サーバは、再案内の回数情報に応じて再案内の内容を変化させてもよい。
【００２９】
この場合、サーバは、再案内の回数情報に応じて再案内の内容を変化させることができる。その結果、ユーザの飽きを防止し、登録促進の効果をさらに増加させることができる。
【００３０】
（４）
第４の発明にかかるサーバは、一局面から第３の発明のいずれか１つのサーバにおいて、連絡先情報は、メールアドレス、ＳＮＳ（ソーシャルネットワークサービス）および社会的な要素を備えたコミュニケーションネットワークの少なくとも１つであってもよい。
【００３１】
この場合、連絡先情報は、メールアドレス、ＳＮＳ（ソーシャルネットワークサービス）および社会的な要素を備えたコミュニケーションネットワークの少なくとも１つである。例えば、ＦＡＣＥＢＯＯＫ（登録商標）、ＴＷＩＴＴＥＲ（登録商標）、Ｉｎｓｔａｇｒａｍ（登録商標），ＬＩＮＥ（登録商標）等の連絡先情報を用いることができる。その結果、ユーザが容易に登録を行うことができる。
【００３２】
（５）
第５の発明にかかるサーバは、一局面から第４の発明のいずれか１つのサーバにおいて、サーバは、案内の送信履歴を記録し、送信から所定期間が経過する前、または再案内後の所定期間において、通信端末から会員登録が完了された場合、案内の送信履歴を消去してもよい。
【００３３】
この場合、サーバは、当該案内の送信履歴を記録し、所定期間が経過する前に、通信端末から会員登録が完了した場合、案内の送信履歴を消去することができる。また、再案内後の所定期間において、通信端末から会員登録が完了された場合、再案内の送信履歴を消去することができる。その結果、サーバは、案内または再案内の送信履歴が多数となることを防止し、サーバの容量を最適に利用することができる。
【００３４】
（６）
第６の発明にかかるサーバは、一局面から第５の発明のいずれか１つのサーバにおいて、再案内は、画像データ、動画データ、画像データまたは動画データのサムネイル、または当該各データの保存期間の記載を含んでもよい。
【００３５】
この場合、再案内は、画像データ、動画データ、画像データまたは動画データのサムネイル、または当該各データの保存期間の記載を含めることができる。その結果、ユーザは、画像データ、動画データ、画像データまたは動画データのサムネイルを認識することができる。また、ユーザは、当該各データの保存期間の記載、具体的には、タイムリミットを示すカウンター等を認識することができ、会員登録を実施出来る期限を認識することができる。
【００３６】
（７）
他の局面に従う撮影装置に関するサーバシステムは、一局面から第６の発明のいずれか１つに記載のサーバと、サーバと相互通信するとともに、人物を撮像する撮影装置と、をさらに含むものである。
【００３７】
この場合、撮影装置に関するサーバシステムは、サーバと相互通信するとともに、人物を撮像する撮影装置と、をさらに含む。その結果、ユーザは、登録が完了していない旨を認識することができる。また、サーバは、確実に会員登録のための登録情報を受信することができる。その結果、会員登録により得られる撮影装置において撮像した画像データ、動画データ、映像データを取得することができる。
【００３８】
（８）
さらに他の局面に従う撮影装置に関するサーバシステムは、連絡先情報を取得する撮影装置に関するサーバシステムであって、撮影装置と、サーバと、通信端末と、を含み、サーバは、連絡先情報に基づいて通信端末へ会員登録のための案内を送信するとともに、当該案内の送信履歴を記録し、所定期間が経過した後において会員登録が完了しない場合、連絡先情報に基づいて、通信端末へ会員登録のための再案内を送信するものである。
【００３９】
この場合、撮影装置に関するサーバシステムは、サーバと相互通信するとともに、人物を撮像する撮影装置と、をさらに含む。その結果、ユーザは、登録が完了していない旨を認識することができる。
【００４０】
（９）
さらに他の局面に従うサーバの制御方法は、連絡先情報を取得する取得工程と、連絡先情報に基づいて会員登録のための案内を送信する送信工程と、当該案内の送信履歴を記録する記録工程と、所定期間が経過した後において会員登録が完了しない場合、連絡先情報に基づいて会員登録のための再案内を送信する再送信工程と、を含むものである。
【００４１】
この場合、サーバの制御方法は、連絡先情報に基づいて会員登録のための案内を送信した後、会員登録が完了されない場合、再案内が送信される。その結果、ユーザは、登録が完了していない旨を認識することができる。また、サーバは、確実に会員登録のための再案内を送信することができ、登録会員数を増加することができる。なお、案内および再案内には、会員登録のためのＵＲＬ等のリンク先情報が含まれていても良い。
【００４２】
（１０）
さらに他の局面に従うサーバの制御プログラムは、連絡先情報を取得する取得処理と、連絡先情報に基づいて会員登録のための案内を送信する送信処理と、当該案内の送信履歴を記録する記録処理と、所定期間が経過した後において会員登録が完了しない場合、連絡先情報に基づいて会員登録のための再案内を送信する再送信処理と、を含むものである。
【００４３】
この場合、サーバの制御プログラムは、連絡先情報に基づいて会員登録のための案内を送信した後、会員登録が完了されない場合、再案内が送信される。その結果、ユーザは、登録が完了していない旨を認識することができる。また、サーバは、確実に会員登録のための再案内を送信することができ、登録会員数を増加することができる。なお、案内および再案内には、会員登録のためのＵＲＬ等のリンク先情報が含まれていても良い。
【図面の簡単な説明】
【００４４】
【図１】本実施の形態にかかるサーバの全体構成の一例を示す模式図である。
【図２】サーバの制御部の送信処理を説明するためのフローチャートである。
【図３】通信端末の表示部に表示される画面の一例を示す模式図である。
【図４】通信端末の表示部に表示される画面の一例を示す模式図である。
【図５】通信端末の表示部に表示される画面の一例を示す模式図である。
【図６】サーバの制御部１１０の反復処理を説明するためのフローチャートである。
【図７】通信端末の表示部の表示の一例を示す模式図である。
【図８】通信端末の表示部の表示の一例を示す模式図である。
【図９】サーバの制御部の登録処理の一例を示すフローチャートである。
【図１０】通信端末の表示部の表示の一例を示す模式図である。
【図１１】通信端末の表示部の表示の一例を示す模式図である。
【図１２】撮影装置に関するサーバシステムの構成の一例を示す模式図である。
【図１３】受付ブースにおける第１表示部の表示の一例を示す模式図である。
【図１４】受付ブースにおける第１表示部の表示の一例を示す模式図である。
【図１５】印刷部により印刷された印刷媒体の一例を示す模式図である。
【図１６】撮影装置の他の例を示す模式図である。
【発明を実施するための形態】
【００４５】
以下、図面を参照しつつ、本発明の実施の形態について説明する。以下の説明においては、同一の部品には同一の符号を付してある。それらの名称および機能も同じである。したがって、それらについての詳細な説明は繰り返さない。
【００４６】
＜実施の形態＞
図１は、本実施の形態にかかるサーバの全体構成の一例を示す模式図である。
【００４７】
（サーバ１００）
図１に示すように、サーバ１００は、主に制御部１１０、通信部１２０、記録部１３０を含む。サーバ１００の制御部１１０は、通信部１２０および記録部１３０を制御する。また、サーバ１００の通信部１２０は、通信端末２００とネットワーク６００を介して通信可能に設けられる。
【００４８】
（通信端末２００）
通信端末２００は、主に制御部２１０、表示部２２０、通信部２３０を含む。制御部２１０は、表示部２２０および通信部２３０を制御する。
本実施の形態においては、通信端末２００は、携帯通信端末、スマートフォン、タブレット端末、パーソナルコンピュータ等の任意の通信機能を有する機器を含むものとする。例えば、テレビジョン装置において通信機能を有する場合には、通信端末２００に含まれるものとする。
【００４９】
（サーバ１００および通信端末２００の通信フロー処理）
以下、送信処理（案内）、反復処理（再案内）、登録処理の３個の処理について説明を行う。また、本実施の形態においては、サーバ１００から通信端末２００へメールを送信する場合について説明を行う。
【００５０】
（送信処理）
図２は、サーバ１００の制御部１１０の送信処理を説明するためのフローチャートである。
また、図３、図４、図５は、通信端末２００の表示部２２０に表示される画面の一例を示す模式図である。
【００５１】
まず、図２に示すように、ユーザが通信端末２００からサーバ１００にメールを送信する。そうすると、サーバ１００の制御部１１０は、ユーザのメールを受信する（ステップＳ１１）。具体的には、ユーザが通信端末２００を用いて、ＷＥＢ画面上で「登録処理」を選択した場合、通信端末２００の表示部２２０には、図３に示すように、「メールアドレス登録」の頁が表示される。また、「空メール送信で登録」の文字の下に「空メール送信」のボタンＳＣ２２１が表示される。
ユーザは、通信端末２００の「空メール送信」のボタンＳＣ２２１を選択することにより、表示部２２０は後述する図４に示すメール送信画面の状態となる。
【００５２】
また、「空メール送信」のボタンを選択しない場合、ユーザは、「メールアドレスを入力して登録」の下にある「メールアドレス」の記入欄ＳＣ２２２、および＠（アットマーク）、「選択してください」のボタンＳＣ２２３を選択する。
ユーザは、通信端末２００の「メールアドレスの記入欄」に自分のメールアドレスのローカル部ＳＣ２２２を入力し、「選択してください」のボタンを選択することにより、ドメイン名を選択することができる。最後に、ユーザは、「送信」ボタンＳＣ２２４を選択する。入力されたメールアドレスはサーバ１００に送信され、サーバ１００はこのメールアドレスに対してメールを送信する。その結果、表示部２２０は後述する図５に示すメール受信画面の状態となる。ユーザは、後述の登録処理に進むことができる。
【００５３】
ユーザが「空メールを送信」のボタンを選択すると、図４に示すように、通信端末２００の表示部２２０に、メール送信画面が表示される。当該メール画面には、ＩＤを示す英数字、「件名・メール本文は、変更せずにこのまま送信して下さい。」の文字が表示される。
具体的には、ユーザにより通信端末２００の表示部２２０の「空メールを送信」のボタンが選択された場合、サーバ１００から通信端末２００に所定の命令が送信される。当該命令を通信端末２００が受信した場合、通信端末２００は、当該命令に基づいて、メールクライアントを立ち上げ、空メール用のメールを自動作成する。
ユーザは、「送信」ボタンを選択することにより、通信端末２００からサーバ１００へ空メールが送信される。
【００５４】
次いで、図２に示すように、サーバ１００の制御部１１０は、通信端末２００から空メールを受信した場合、サーバ１００の制御部１１０は、記録部１３０に当該メールアドレスを登録する（ステップＳ１２）。このとき、このメールアドレスに対応するユニークな識別ＩＤを生成する。サーバ１００の制御部１１０は、ユーザに登録情報入力用メール（案内）を送信する（ステップＳ１３）。そして、サーバ１００の制御部１１０は、記録部１３０に、登録したメールアドレス、このメールアドレスに対応する識別ＩＤおよび登録情報入力用メールの送信回数（案内送信回数）と紐づけてユーザ未登録情報を記録する（ステップＳ１４）。
【００５５】
次いで、登録情報入力用メールについて説明する。図５に示すように、ユーザの通信端末２００に、登録先のＵＲＬ情報（メールアドレスに紐づけられたユニークな識別ＩＤを含むＵＲＬ）を含むハイパーリンクが記載されたメールが送信される。当該ハイパーリンクを選択する場合については、後述する。
なお、ユニークな識別ＩＤとは、乱数表等により表示される識別ＩＤであり、数万回に一度表出するか否かのレベルの仮の識別ＩＤを意味する。
また、後述する登録ＩＤとは、他に同一の登録ＩＤが表出しないレベルの識別ＩＤを意味し、登録が完了された場合に生成され、ユーザの各情報と紐づけされる。
具体的な一例として、ユーザ登録が完了（送信ボタンタッチ）された場合、登録ＩＤが生成される。そして、登録ＩＤ、登録画面に入力された各情報、および登録画面に対応する識別ＩＤに紐づけられたメールアドレス等の各情報が紐づけられて記録媒体に記録される。その後、上記識別ＩＤが削除される。
【００５６】
（反復処理（再案内））
続いて、図６は、サーバ１００の制御部１１０の反復処理を説明するためのフローチャートである。また、図７、８は、通信端末２００の表示部２２０の表示の一例を示す模式図である。
【００５７】
図６に示すように、サーバ１００の制御部１１０は、所定期間ユーザ未登録情報が存在するか否かを判定する（ステップＳ２１）。すなわち、ステップＳ１４の処理の後、所定期間ユーザ未登録情報が存在し続けたか否かを判定している。本実施の形態において所定期間は、３個であり、それぞれ２４時間、４８時間、１４４時間であるとする。なお、所定期間は、２４時間、４８時間、１４４時間に限定されず、その他の任意の日時分秒であってもよく、３個ではなく、１個、２個、４個、５個、６個、７個、１０個等の任意の個数であってもよい。
【００５８】
サーバ１００の制御部１１０が、登録情報入力用メールを送信後に所定期間が経過していないと判定した場合、ステップＳ２１の処理を繰り返す（ステップＳ２１のＮｏ）。具体的には、所定期間ユーザ未登録情報が存在し続けて、制御部１１０が２４時間経過していないと判定した場合である。
一方、サーバ１００の制御部１１０が、登録情報入力用メールを送信後に所定期間が経過した後もユーザ未登録情報が存在していると判定した場合、サーバ１００の制御部１１０は、ユーザ未登録情報に紐づけられたメールアドレス宛にユーザに登録情報入力用メールを再送信（再案内）する（ステップＳ２２）。すなわち、所定期間ユーザ未登録情報が存在し続けて、２４時間経過したと判定した場合である。具体的には、図５に示した登録先のＵＲＬ情報を含むハイパーリンクが記載されたメール等である。
なお、図５に示す登録情報入力用メールは、最初に送信するメールと再送信するメールとで、記載する内容が異なっていてもよい。具体的には、ユーザそれぞれに対する未登録情報に紐づけられた案内送信回数、または、ユーザ未登録情報の存在期間を確認することにより、何回目のメール送信かを判断する。
【００５９】
次いで、サーバ１００の制御部１１０は、ユーザ未登録情報を更新する（ステップＳ２３）。具体的に、サーバ１００の制御部１１０は、２４時間経過のユーザ未登録情報を記録部１３０に記録する。この場合、当該ユーザ未登録情報に紐づけられた案内送信回数を１（回）増加させる。続いて、サーバ１００の制御部１１０は、ステップＳ２１の処理を繰り返す。
【００６０】
続いて、サーバ１００の制御部１１０は、４８時間の間継続して、ユーザ未登録情報が存在するか否かを判定し（ステップＳ２１）、サーバ１００の制御部１１０は、ユーザに登録情報入力用メールを再送信する（ステップＳ２２）。この場合、図７に示すように、登録先のＵＲＬ情報を含むハイパーリンクのみが記載されたメールが送信される。
【００６１】
次に、サーバ１００の制御部１１０は、ユーザ未登録情報を更新し（ステップＳ２３）、サーバ１００の制御部１１０は、ステップＳ２１の処理を繰り返す。
【００６２】
再度、サーバ１００の制御部１１０は、１４４時間の間継続して、ユーザ未登録情報が存在するか否かを判定し（ステップＳ２１）、サーバ１００の制御部１１０は、ユーザに登録情報入力用メールを再送信する（ステップＳ２２）。この場合、図８に示すように、登録先のＵＲＬ情報を含むハイパーリンクおよび登録可能な残り時間が記載されたメールが送信される。すなわち、本実施の形態においては、登録することができる時間が決められており、登録可能な残り時間が残数カウンターとして表示される。
一方で、登録可能な残り時間が経過した場合には、サーバ１００の制御部１１０は、ユーザに登録情報入力用メールを再送信しない。
その結果、ユーザが、メールアドレスに多数の登録促進のメールがくることを煩わしいと感じることを防止することができる。
【００６３】
次に、サーバ１００の制御部１１０は、ユーザ未登録情報を更新し（ステップＳ２３）、サーバ１００の制御部１１０は、ステップＳ２１の処理を繰り返す。なお、登録可能な残り時間が経過した場合、反復処理は停止される。
【００６４】
（登録処理）
最後に、サーバ１００の制御部１１０の登録処理について説明を行う。図９は、サーバ１００の制御部１１０の登録処理の一例を示すフローチャートである。また、図１０、図１１は、通信端末２００の表示部２２０の表示の一例を示す模式図である。
【００６５】
まず、ステップＳ１３またはステップＳ２２の処理において、登録先のＵＲＬ情報を含むハイパーリンクをユーザが選択した場合、ユーザの通信端末２００の表示部２２０には、図１０に示す「プロフィール登録」が表示される。当該画面は、メールアドレスに紐づけられたユニークな識別ＩＤに対応して生成される専用のプロフィール登録画面である。
プロフィール表示には、「パスワード登録」ＳＣ２２５、「パスワード登録（再入力）」ＳＣ２２６、「生年月日登録」ＳＣ２２７、「都道府県登録」ＳＣ２２９、「性別登録」ＳＣ２３０、「送信」ボタンＳＣ２３１が含まれる。
【００６６】
ユーザは、通信端末２００を用いて、プロフィール表示の入力を行い、送信ボタンＳＣ２３１を選択する。その結果、ユーザの通信端末２００の表示部２２０に図１１に示す「登録完了」が、表示される。その結果、ユーザは、登録完了されたことを認識することができる。
また、登録完了の表示には、登録完了によるプレゼントを取得するボタンＳＣ２３２、有料会員登録を行うボタンＳＣ２３３が含まれる。ユーザは、通信端末２００を用いて登録完了によるプレゼントを取得するボタンＳＣ２３２、有料会員登録を行うボタンＳＣ２３３を選択してもよい。
【００６７】
次に、図９に示すように、サーバ１００の制御部１１０は、ステップＳ１３またはステップＳ２２の処理により送信された登録情報を受信する（ステップＳ３１）。サーバ１００の制御部１１０は、ユーザ登録完了を認識し、登録ＩＤに紐づけて登録情報を記録部１３０に記録する（ステップＳ３２）。この場合、登録ＩＤに紐づけられたメールアドレスを登録情報に含めることもできる。
【００６８】
次に、サーバ１００の制御部１１０は、ステップＳ１４の処理において、登録ＩＤに対応するユーザ未登録情報を削除する（ステップＳ３３）。すなわち、サーバ１００の制御部１１０は、ユーザ未登録情報を削除することにより、ステップＳ２１からステップＳ２３の処理を再実施することを防止することができる。
【００６９】
以上のサーバ１００により、ユーザが会員登録を失念していたり、登録できているものと勘違いしていたりする場合であっても、通知メールが所定の回数送信されてくるため、会員登録を実施することができる。また、無料の会員登録であれば、ユーザは、気軽に登録を行うことができる。
【００７０】
＜他の例＞
次いで、他の例においては、実施の形態において説明したサーバ１００を撮影装置５００に適用した場合について説明を行う。
図１２は、撮影装置に関するサーバシステム７００の構成の一例を示す模式図である。図１３、図１４は、受付ブース５１０における第１表示部５１１の表示の一例を示す模式図であり、図１５は、印刷部５６０により印刷された印刷媒体の一例を示す模式図である。
【００７１】
図１２に示すように、撮影装置に関するサーバシステム７００は、サーバ１００、撮影装置５００、および通信端末２００を含む。
サーバ１００、撮影装置５００、通信端末２００は、ネットワーク６００を介して通信可能に設けられる。
【００７２】
（撮影装置５００）
以下、撮像装置５００の概略について説明を行う。撮影装置５００は、ユーザを撮影することができる無人の自動撮影装置である。
図１２に示すように、撮影装置５００は、主に受付ブース５１０、撮影ブース５２０、制御部５３０、通信部５４０、記録部５５０、および印刷部５６０を含む。
【００７３】
（制御部５３０）
制御部５３０は、少なくともＣＰＵ（Ｃｅｎｔｒａｌ  Ｐｒｏｃｅｓｓｉｎｇ  Ｕｎｉｔ）およびＲＡＭ（Ｒａｎｄｏｍ  Ａｃｃｅｓｓ  Ｍｅｍｏｒｙ）を含む。制御部５３０は、制御プログラム５５１を実行することによって、受付ブース５１０における受付処理および撮影ブース５２０における撮影処理を制御する。制御部５３０には、撮影した映像を処理する映像処理部、撮影した画像を処理する画像処理部、撮影した映像または画像に、落書き、スタンプ、フレームなどを用いた装飾レイヤーを生成する処理を施す装飾処理部、背景映像または背景画像に対する人物映像の位置、アングル、大きさおよび／または範囲の調節する初期設定部、撮影した映像または画像の色調、明るさを調節する色調調節部が含まれる。
【００７４】
（受付ブース５１０）
受付ブース５１０は、ユーザの受付処理を行う場所である。受付ブース５１０は、第１表示部５１１、第１入力部５１２、決済部５１３を含む。第１表示部５１１は、受付処理または撮影処理に必要な情報、画面、ボタンなどを表示する。第１入力部５１２は、受付処理または撮影処理において、ユーザによる情報の入力、ボタンの選択、または撮影装置５００の操作などに用いられる。第１入力部５１２は、ボタン型、キーボード型、ペン入力型、タッチパネル型など任意の形態であってよい。決済部５１３は、ユーザによる撮影料金の支払いの処理および釣り銭の処理を行う。撮影料金は現金、電子マネー、クレジットカードなど任意の手段によって支払われてよい。
【００７５】
また、図１３に示すように、受付ブース５１０の第１表示部５１１には、メールアドレスを入力する画面を表示してもよく、図１４に示すように、登録のためのＵＲＬ情報を含むＱＲコード（登録商標）を表示させてもよい。
図１３の場合、ユーザは、通信端末２００またはユーザの個人のパーソナルコンピュータ等のメールアドレスを入力することができる。また、図１４の場合、ユーザは、通信端末２００のカメラを用いてＱＲコード（登録商標）を読取り、図７のメールを受信することができる。その結果、当該ＵＲＬの登録画面に容易に移動することができる。
【００７６】
（撮影ブース５２０）
撮影ブース５２０は、撮影装置５００の内部に設置され、ユーザの撮影処理を行う場所である。撮影ブース５２０は、第２表示部５２１、第２入力部５２２、カメラ５２３、照明５２４を含む。第２表示部５２１は、受付処理または撮影処理に必要な情報、画面、ボタンなどを表示する。第２入力部５２２は、受付処理または撮影処理において、ユーザによる情報の入力、ボタンの選択、または撮影装置５００の操作などに用いられる。第２入力部５２２は、ボタン型、キーボード型、ペン入力型、タッチパネル型など任意の形態であってよい。
【００７７】
（カメラ５２３）
カメラ５２３は、撮影装置５００の内部において、人物映像および人物画像を撮影するカメラである。カメラ５２３は、撮影のタイミングに合わせて静止画用の解像度の高い人物画像を撮影してもよい。
カメラ５２３は、物理的に位置、アングルまたはズームを調節するための機構（例えばカメラ５２３を乗せるためのレール、首振りをするための軸、ズームレンズなど）を備えていてもよく、初期設定部による指示に応じて、またはユーザによる直接の操作によって、カメラ５２３の位置、アングルまたはズームを調節できるように設置されていてもよい。また、カメラ５２３は、色調調節部による指示に応じて、露出時間および／または絞りを調節できてもよい。
【００７８】
（記録部５５０）
記録部５５０は、撮影装置５００による受付処理および撮影処理に用いられる制御プログラム５５１を格納する。また、記録部５５０は撮影装置５００による受付処理および撮影処理に用いられるデータを格納する。
【００７９】
（制御プログラム５５１）
制御プログラム５５１は、撮影装置５００による受付処理および撮影処理を制御部５３０に実行させるためのプログラムである。
【００８０】
（印刷部５６０）
印刷部５６０は、シール紙などの印刷媒体に完成画像を印刷する。印刷部５６０は、シール紙などの印刷媒体に合成画像または完成画像の画像データにアクセスするための情報をさらに印刷してもよい。
また、図１５に示すように、印刷部５６０により印刷された印刷媒体に、登録のためのＵＲＬ情報を含むＱＲコード（登録商標）５６６またはシールＩＤが印刷されてもよい。
【００８１】
その結果、ユーザは、撮影が終わった帰り道において、印刷部５６０により印刷された印刷媒体に記載された、登録のためのＵＲＬ情報を含むＱＲコード（登録商標）５６６またはシールＩＤを通信端末２００で読取る。その結果、通信端末２００には、会員ログイン、または登録への案内画面が表示され、未登録の場合、図３の登録画面へ誘導される。
【００８２】
また、他の例においては、図７または図８で説明したステップＳ２２の処理の場合に、ユーザに、撮影装置５００により、撮影された写真または映像の縮小版（サムネイル）５６５（図１５参照）を添付した登録用メールを再送信（再案内）してもよい。また、この縮小版５６５については、自動的に様々な背景のバージョンで送付してもよく、縮小版５６５の背景を自動的に飾り付ける（一般的には、デコレーション、デコる）ようにしてもよい。
これにより、過去に撮影した写真または映像が入手できることが視覚的に理解することができるため、メールの説明を読むのが煩わしいと考えるユーザも登録をする動機づけとなる。
【００８３】
また、上記の登録が完了した場合、撮影装置に関するサーバシステム７００のサーバ１００は、通信端末２００からの通信に応じて、カメラ５２３で撮影した写真（画像データ）または動画（動画データ）を当該通信端末２００へ送信してもよい。
さらに、登録が完了した場合、撮影装置に関するサーバシステム７００のサーバ１００は、カメラ５２３で撮影した写真（画像データ）または動画（動画データ）の背景を、通信端末２００から操作に応じて他の背景に自由に変えてもよく、写真（画像データ）または動画（動画データ）の背景を通信端末２００からの操作に応じて飾り付ける（一般的には、デコレーション、デコる）ようにしてもよい。
【００８４】
図１６は、撮影装置５００の他の例を示す模式図である。
従来からプリントシール機は、他のゲーム機と並べて配置される。さらに観光地用のプリントシール機は、あまり人目につかない暗い場所、または部屋の隅の方に設置されることが多い。そのため、利用者がプリントシール機の存在に気付かないという問題があった。当該問題を解決する本発明の説明を以下に記載する。
【００８５】
図１６に示すように、撮影装置５００にはプロジェクタ８００を設けることができる。撮影装置５００のフレーム（台座、台枠、枠体）にプロジェクタ８００を設けて、撮影装置５００付近の床面に画像または映像８１０を投影し表示する。
これにより、撮影装置５００の付近を通行する人の注意を引くことができるため、撮影装置５００の存在をアピールして集客することができる。さらに、プロジェクタ８００の表示を用いてユーザを受付ブース５１０に案内し、また受付が終了したユーザを撮影ブース５２０に案内することができる。
【００８６】
なお、プロジェクタ８００は、撮影装置５００の外側の、高い位置（床から一定の距離を保つことができる高さ）に設置することができ、例えば受付ブース５１０の上部に設けられていてもよい。
【００８７】
また、表示する画像または映像８１０の例としては、例えば、撮影装置５００が設置された場所に関係のある絵、図、スタンプ、キャラクターなど、または、当該撮影装置５００において利用することができる絵、図、スタンプ、キャラクターなどを用いることができる。これらの絵、図、スタンプ、キャラクターなどを用いて、ユーザを集客し、撮影装置５００へ案内をさせることができる。また、撮影装置５００のプレイ開始位置、または、プレイ中の移動案内などを表示することもできる。
【００８８】
プロジェクタ８００が投影する画像または映像８１０は、正方形または長方形とすることが好ましく、撮影装置５００の幅と同一または撮影装置５００の幅より若干小さく設定することが好ましい。
これにより、撮影装置５００が限られたスペースに設置された場合であっても、付近を通行する人の注意を十分に引くことができる。
なお、プロジェクタ８００の投影画像または映像は、設置環境に応じて適宜調節することができるため、撮影装置５００の設置スペースが十分に広い環境である場合は、プロジェクタ８００の投影画像または映像を大きく表示させることができる。
【００８９】
また、プロジェクタ８００が投影する画像または映像が、撮影ブース５２０への入り口付近に投影される場合は、撮影ブース５２０から５ｃｍ以上３０ｃｍ以下の距離を離して投影することが好ましく、１０ｃｍ以上２０ｃｍ以下の距離を離して投影することがより好ましい。これにより、撮影ブース５２０の照明の影響を低減して最適な投影画像又は映像を得ることができる。
【００９０】
また、プロジェクタ８００は、タイマー等を用いて１８時以降のみ動作するように設定されてもよい。屋外または外光の入りやすい場所に撮影装置５００が設置される場合は、太陽光の影響を受けやすいため、投影された画像または映像が十分に視認する事ができる時間帯にのみプロジェクタ８００を動作させることができる。
また、プロジェクタ８００は、環境の明るさを測定するセンサを用いて動作が制御されてもよい。この場合、環境の明るさに応じて、投影光の強度を適宜調節することもできる。
【００９１】
また、プロジェクタ８００が投影する床面には、投影された画像または映像が視認しやすくするための専用マットを敷設してもよい。また、専用マットを敷設することができない場合、床の色味に合わせて、投影光の色味を適宜補正することで、投影された画像または映像の視認性を向上させることができる。
また、人体検知センサを設けて、人が近づいた場合に、画像データから動画データ（映像データ）に切り換えてもよく、人の位置によって、動画データを変化させてもよい。例えば、表示されたボールに近づくことによりボールが移動する映像を表示させるなど、任意の映像を含んでもよい。
【００９２】
また、プロジェクタ８００に駆動体、回動体を設けてもよい。さらに、プロジェクタ８００の姿勢（向いている方向）を検出するセンサ、またはエンコーダ等を設けてもよい。センサ等によりプロジェクタ８００の姿勢（向いている方向）を検出し、床面、または地面に投影される映像が、正方形または長方形となるように、プロジェクタ８００に入力される画像データ、動画データ（映像データ）に対して変形処理、調整処理を施してもよい。
また、プロジェクタ８００を上下方向または左右に首振りさせることができる駆動体、またはズーム機能を設けてもよい。
この場合、床面または地面に投影される表示を大きくする場合には、プロジェクタ８００を上方向へ移動させて固定してもよく、表示を小さくする場合には、プロジェクタ８００を下方向へ移動させて固定することができてもよい。
さらに、床面または地面に投影される表示が撮影ブース５２０の筐体側面に沿うように投影、または、所定の位置で投影されるように、首振りさせる駆動体によりプロジェクタ８００を首振りさせてもよい。
最後に、ズーム機能部によりプロジェクタ８００から投影される表示を拡大縮小してもよい。
【００９３】
本発明のサーバまたはサーバシステムは以下のように構成することもできる。
撮影装置および投影機（プロジェクタ）を含み、前記撮影装置の周囲に前記投影機から画像または動画を表示させてもよい。
前記画像または動画の表示サイズを調整してもよい。
周囲の明るさを検知する検知部を有してもよく、前記投影機から画像または動画を表示させるタイミングを調整できる。
人体検知センサを設け、人が近寄った場合にのみ、前記画像または動画を表示してもよい。
さらに、投影機が設けられた撮影装置であって、前記投影機は前記撮影装置の周囲の床面に画像または映像を投影する撮影装置、前記投影機は、前記撮影装置の受付ブースの上部に設けられた撮影装置、前記画像または映像は、前記撮影装置との距離が５ｃｍ以上３０ｃｍ以下離れて投影される撮影装置、前記撮影装置は時計を含み、前記時計が示す時間に応じて前記投影機が動作または停止する撮影装置、前記撮影装置は周囲の明るさを検知する検知部を含み、前記検知部によって前記投影機が動作または停止する撮影装置、前記撮影装置は人体検知センサを含み、前記人体検知センサによって前記投影機が動作または停止する撮影装置、前記人体センサは前記撮影装置の周囲の人の位置を検出し、前記人の位置に応じて前記画像または映像を変化させる撮影装置であってもよい。
投影機は、上下移動の駆動体、回転体を含んでも良い。投影機は、左右移動の駆動体、回転体を含んでも良い。投影機は、投影を拡大縮小させるズーム機能部を含んでも良い。投影機は首振り機能を含んでも良い。投影機は、投影機の向いている方向を判定するセンサまたは駆動体、回転体のエンコーダを有しても良い。
【００９４】
以上のように、本実施の形態にかかるサーバ１００、撮影装置５００に関するサーバシステム７００、サーバ１００の制御方法、サーバ１００の制御プログラムは、連絡先情報に基づいて会員登録のための案内を送信した後、会員登録が完了しない場合、再案内を送信することができる。その結果、ユーザは、登録が完了していない旨を認識することができる。また、サーバは、確実に会員登録のための登録情報を受信することができる。
【００９５】
本発明においては、通信端末２００が「通信端末」に相当し、サーバ１００が「サーバ」に相当し、ユーザ未登録情報が「案内の送信履歴」に相当し、図５、図７、図８の通信端末２００の表示部２２０が「再案内」に相当し、撮影装置５００が「撮影装置」に相当し、撮影装置５００に関するサーバシステム７００が「撮影装置に関するサーバシステム」に相当し、ステップＳ１１乃至Ｓ１４、Ｓ２１乃至Ｓ２３、Ｓ３１乃至Ｓ３３が「サーバの制御方法およびサーバの制御プログラム」に相当する。
【００９６】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００９７】
２００  通信端末
１００  サーバ
２２０  表示部
５００  撮影装置
７００  撮影装置に関するサーバシステム
【図１】
2019191966.tif 000003
【図２】
2019191966.tif 000004
【図３】
2019191966.tif 000005
【図４】
2019191966.tif 000006
【図５】
2019191966.tif 000007
【図６】
2019191966.tif 000008
【図７】
2019191966.tif 000009
【図８】
2019191966.tif 000010
【図９】
2019191966.tif 000011
【図１０】
2019191966.tif 000012
【図１１】
2019191966.tif 000013
【図１２】
2019191966.tif 000014
【図１３】
2019191966.tif 000015
【図１４】
2019191966.tif 000016
【図１５】
2019191966.tif 000017
【図１６】
2019191966.tif 000018